(57)【要約】【課題】カメラを外部被固定物に対して常に安定した姿勢で固定支持し得るカメラ支持装置を提供する。【解決手段】カメラを支持するカメラ支持装置１において、カメラの三脚ネジ穴に螺合するネジ部１４ａと、ネジ部が一方端に設けられる棒状部材１１と、棒状部材の他方端の外周を覆うように設けられ外周部位が弾性的性質を有する素材で形成される外装部材１２と、外装部材若しくは棒状部材の他方端に設けられ外部被固定物に対して当該カメラ支持装置を外装部材を介して固定するために設けられる固定手段であって外部被固定物を巻回する巻回手段１３とを具備する。【選択図】図１
2013019965.tif 000002
【特許請求の範囲】
【請求項１】
カメラを支持するカメラ支持装置において、
カメラの三脚ネジ穴に螺合するネジ部と、
上記ネジ部が一方端に設けられる棒状部材と、
上記棒状部材の他方端の外周を覆うように設けられ、外周部位が弾性的性質を有する素材で形成される外装部材と、
上記外装部材若しくは上記棒状部材の他方端に設けられ、外部被固定物に対して当該カメラ支持装置を上記外装部材を介して固定するために設けられる固定手段であって、上記外部被固定物を巻回する巻回手段と、
を具備したことを特徴とするカメラ支持装置。
【請求項２】
上記棒状部材は、伸縮自在に形成される伸縮手段を具備することを特徴とする請求項１に記載のカメラ支持装置。
【請求項３】
上記棒状部材の伸縮手段は、複数の棒状部材を入れ子式に形成したことを特徴とする請求項２に記載のカメラ支持装置。
【請求項４】
上記外装部材は、シリコンゲル素材からなることを特徴とする請求項１に記載のカメラ支持装置。
【請求項５】
上記外装部材は、ゴム素材をシリコーン材で包んだ部材からなることを特徴とする請求項１に記載のカメラ支持装置。
【請求項６】
上記外装部材は、合成ゴム発泡体からなることを特徴とする請求項１に記載のカメラ支持装置。
【請求項７】
上記伸縮手段は、多段シャフト部材からなることを特徴とする請求項１〜７に記載のカメラ支持装置。
【請求項８】
上記巻回手段は、面ファスナーからなることを特徴とする請求項１〜７に記載のカメラ支持装置。
【請求項９】
カメラを支持するカメラ支持装置において、
カメラの三脚ネジ穴に螺合するネジ部と、
上記ネジ部が一方端に設けられる棒状部材と、
上記棒状部材の他方端の外周を覆うように設けられ、外周部位が塑性的性質を有する素材で形成される外装部材と、
上記外装部材若しくは上記棒状部材の他方端に設けられ、上記外部被固定物に対して当該カメラ支持装置を上記外装部材を介して固定する固定手段であって、上記外部被固定物を巻回するために伸縮自在の弾性素材によって形成された巻回手段と、
を具備したことを特徴とするカメラ支持装置。
【発明の詳細な説明】
【技術分野】
【０００１】
この発明は、カメラ支持装置、詳しくはカメラを固定支持するためのカメラ支持装置に関するものである。
【背景技術】
【０００２】
従来、撮影者の目線位置に近い高さでカメラを固定支持するためのカメラ支持装置として、例えば大型の三脚式若しくは一脚式のカメラ支持装置が一般に実用化されている。しかしながら、大型の三脚若しくは一脚等を常時携帯することは、写真撮影者にとって負担になるという問題点がある。
【０００３】
そこで、携帯性を考慮した小型化した三脚や一脚等のカメラ支持装置が実用化されているが、この種の小型のものでは、必要な高さを確保できなかったり、必要な安定性を確保できない等、使用上の自由度が制限されてしまうという問題点が生じる。
【０００４】
そこで、近年、脚部分を可撓性部材で構成した三脚若しくは一脚等のカメラ支持装置が実用化されている。この種のカメラ支持装置においては、可撓性の脚部分を既存の外部被固定物等に巻き付けたり挟み込む等によって、カメラ支持装置自体が外部被固定物と一体となるように固定することで、該カメラ支持装置に装着したカメラを固定保持するというものである。
【０００５】
例えば、特開２００７−８６７０６号公報等によって開示されているカメラ支持装置は、カメラの三脚取付部に螺合する雄ネジを備えた可撓性ワイヤーによって構成したものであって、該可撓性ワイヤーを外部被固定物に巻き付け固定することによって、外部被固定物に対してカメラを保持するというものである。
【先行技術文献】
【特許文献】
【０００６】
【特許文献１】特開２００７−８６７０６号公報
【発明の概要】
【発明が解決しようとする課題】
【０００７】
ところが、上記特開２００７−８６７０６号公報等によって開示されている形態のカメラ支持装置では、可撓性ワイヤーの外部被固定物に対する巻き付け力量，挟み込み力量が不十分であると、カメラを装置したカメラ支持装置自体を外部被固定物に対して安定した状態で確実に固定保持することができないという問題点がある。
【０００８】
この種の形態のカメラ支持装置では、外部被固定物に対して固定支持するとき、その固定状態を、安定して維持させることが求められる。また、使用者が携帯することを考慮すると、小型化及び軽量化が求められるものである。
【０００９】
本発明は、上述した点に鑑みてなされたものであって、その目的とするところは、カメラを外部被固定物に対して常に安定した姿勢で固定支持することのできるカメラ支持装置を提供することである。
【課題を解決するための手段】
【００１０】
上記目的を達成するために、本発明の一態様のカメラ支持装置は、カメラを支持するカメラ支持装置において、カメラの三脚ネジ穴に螺合するネジ部と、上記ネジ部が一方端に設けられる棒状部材と、上記棒状部材の他方端の外周を覆うように設けられ外周部位が弾性的性質を有する素材で形成される外装部材と、上記外装部材若しくは上記棒状部材の他方端に設けられ外部被固定物に対して当該カメラ支持装置を上記外装部材を介して固定するために設けられる固定手段であって、上記外部被固定物を巻回する巻回手段と、を具備したことを特徴とする。
【発明の効果】
【００１１】
本発明によれば、カメラを外部被固定物に対して常に安定した姿勢で固定支持することのできるカメラ支持装置を提供することができる。
【図面の簡単な説明】
【００１２】
【図１】本発明の一実施形態のカメラ支持装置の巻回手段を展開した状態を示す外観斜視図、
【図２】本発明の一実施形態のカメラ支持装置の巻回手段を収納した状態を示す外観斜視図、
【図３】本発明の一実施形態のカメラ支持装置の使用例のうち、カメラを装着した状態のカメラ支持装置を外部被固定物（椅子）に固定した状態を示す概念図、
【図４】図３の状態にあるカメラ支持装置における外部被固定物との固定部位の断面図、
【図５】本発明の一実施形態のカメラ支持装置の使用例のうち、カメラを装着した状態の本カメラ支持装置を外部被固定物（ハンガー若しくは鉄棒等の横木部分）に固定した状態を示す概念図、
【図６】本発明の一実施形態のカメラ支持装置の使用例のうち、カメラを装着した状態の本カメラ支持装置を外部被固定物（樹木の枝部分）に固定した状態を示す概念図、
【図７】図６の状態にあるカメラ支持装置における外部被固定物との固定部位の断面図、
【図８】本発明の一実施形態のカメラ支持装置の使用例のうち、カメラを装着した状態の本カメラ支持装置の棒状部材を伸長させた状態を示す概念図、
【図９】本発明の一実施形態のカメラ支持装置の第１変形例を示す斜視図、
【図１０】本発明の一実施形態のカメラ支持装置の第２変形例を示す斜視図、
【図１１】図１０の第２変形例のカメラ支持装置の使用例を示す概念図、
【図１２】本発明の一実施形態のカメラ支持装置の第３変形例を示す斜視図、
【図１３】図１２のカメラ支持装置の断面図、
【図１４】本発明の一実施形態のカメラ支持装置の第４変形例を示す斜視図、
【図１５】図１４のカメラ支持装置の断面図、
【発明を実施するための形態】
【００１３】
以下、図示の実施の形態によって本発明を説明する。  
以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１４】
図１，図２は、本発明の一実施形態のカメラ支持装置の外観を示す斜視図である。このうち、図１は本カメラ支持装置における巻回手段を展開した状態を示している。また、図２は本カメラ支持装置における巻回手段を収納した状態を示している。
【００１５】
図３〜図８は、本実施形態のカメラ支持装置の使用例を示す図である。図３は、カメラを装着した状態の本カメラ支持装置を外部被固定物（椅子）に固定した状態を示している。図４は、図３の状態にあるカメラ支持装置における外部被固定物との固定部位の断面を示す図である。図５は、カメラを装着した状態の本カメラ支持装置を外部被固定物（ハンガー若しくは鉄棒等の横木部分）に固定した状態を示している。図６は、カメラを装着した状態の本カメラ支持装置を外部被固定物（樹木の枝部分）に固定した状態を示している。図７は、図６の状態にあるカメラ支持装置における外部被固定物との固定部位の断面を示す図である。図８は、カメラを装着した状態の本カメラ支持装置の棒状部材を伸長させた状態を示している。
【００１６】
まず、本実施形態のカメラ支持装置の構成を、図１，図２を用いて以下に説明する。本実施形態のカメラ支持装置１は、自由雲台１４と、棒状部材１１と、外装部材１２と、巻回手段である巻回部材１３とによって主に構成されている。
【００１７】
自由雲台１４は、カメラ（不図示）の三脚ネジ穴に螺合する雄ネジからなるネジ部１４ａを備え、カメラの姿勢を保持し任意の方向を向くように支持する台座部材である。自由雲台１４そのものは、一般的に実用化されている自由雲台と同様のものが適用されているものとして、その詳細構成は省略する。
【００１８】
棒状部材１１は、複数の中空筒状部材を入れ子構造（nested structure）に形成した多段シャフト部材からなる伸縮手段を備えている。この棒状部材１１の一端部には、上記自由雲台１４が例えばネジ等の締結手段によって固設される。
【００１９】
なお、本実施形態においては、カメラを固定支持するための自由雲台１４を、カメラと棒状部材１１との間に介在させる構成としているが、これに限らず、例えば棒状部材１１の一方端にカメラの三脚ネジ穴に螺合するネジ部を直接設けるような構成としてもよい。この構成では、自由雲台１４による作用を享受することはできないが、棒状部材１１の一方端に直接カメラを固定する構成となる。
【００２０】
外装部材１２は、上記棒状部材１１の他端寄りの外周を覆うように設けられる。外装部材１２は、その全体若しくは少なくともその外周部位に低反発性を有し弾性的性質を有する素材、例えばスポンジ等の発泡体，合成ゴム発泡体（ウレタンスポンジ），シリコーン等からなるエラストマー，ポリエチレン発泡剤等、ゴム部材、シリコンゲル素材等、若しくはゴム素材をシリコーン材で包んだ部材等によって形成される。
【００２１】
図１，図２に示す例では、上記外装部材１２は、上記棒状部材１１の外周全体を覆うように配設されているように見える。しかしながら、上述したように棒状部材１１は、伸縮手段を有して構成されている。そして、図１，図２は、棒状部材１１を最も短縮した状態を示している。したがって、図１，図２に示す状態の棒状部材１１を伸長状態とした時、外装部材１２は、棒状部材１１の他方端の外周を覆うように設けられることになる。また、このとき外装部材１２が設けられている部位は、使用者が手によって把持する把持部１５として機能することになる。
【００２２】
上記外装部材１２の他端部には、外部被固定物（後述する；図３〜図８等参照）に対して当該カメラ支持装置１を上記外装部材１２を介して固定するための巻回部材１３が一体に設けられている。この巻回部材１３は、上記外部被固定物と上記外装部材１２の外周側を巻回し得るような形態の、例えば一本の細長のベルト形状に形成され、面ファスナー（hook-and-loop fastener）を備えて構成される。この面ファスナーは、巻回部材１３の巻回状態を固定するための固定手段として機能するものである。
【００２３】
巻回部材１３は、一端を上記外装部材１２の一部に対して固定されており、図２に示すように、該外装部材１２の外周に巻回した状態で収納されるように形成されている。
【００２４】
なお、巻回部材１３は、外装部材１２の一部に固定する形態で、外装部材１２の他端部に設けるようにしているが、これに限ることはない。例えば、棒状部材１１の他端部が外装部材１２から露呈するように構成し、棒状部材１１の他端部のその露呈部分に対して巻回部材１３の一端を固設するように構成してもよい。
【００２５】
また、巻回部材１３は、非伸縮性の素材で形成してもよいし、弾性を有する伸縮性素材、例えばベルト状ゴム部材等によって形成してもよい。また、巻回部材１３の巻回状態を固定するための手段として、面ファスナー以外に、たとえばホック，ボタン等の固定手段を適用することも可能である。
【００２６】
このように構成された本実施形態のカメラ支持装置１の作用を、図３〜図８の使用例を示しながら、以下に説明する。
【００２７】
図３に示す使用例は、カメラ２を自由雲台１４に装着した状態の本カメラ支持装置１を、外部被固定物としての椅子３の背もたれの支柱部３ａに固定した状態を示している。
【００２８】
この場合においては、まず、巻回部材１３を、図１に示すように、外装部材１２の外周から展開させた状態とする。この状態で、外装部材１２の外周面を、外部被固定物である椅子３の固定したい部位、つまり図３の例では支柱部３ａの任意の部位に対して押圧する。そして、この押圧状態を保持しながら、外装部材１２と支柱部３ａとの外周を覆うように巻回部材１３を巻回させる（図４参照）。巻回部材１３は、上述のように面ファスナーで形成されているので、巻回させるのみで面ファスナーのフック状起毛面とループ状起毛面とが対面し互いに貼り付いて固定される。
【００２９】
これにより、カメラ支持装置１の外装部材１２は、弾性変形した状態で支柱部３ａの表面に密着した状態が維持される。このとき、外装部材１２は変形状態から通常形状へと復元しようとする復元力が働いているが、この復元力は、外装部材１２及び支柱部３ａの外周に巻回固定される巻回部材１３によって抑えられている。したがって、外装部材１２と支柱部３ａとの密着状態が維持されて、カメラ支持装置１は安定した状態で固定される。そして、カメラ支持装置１の自由雲台に装着されたカメラ２も安定状態で固定支持される。なお、この状態において、カメラ２の姿勢は、自由雲台１４の作用によって任意に設定することができる。
【００３０】
図５に示す使用例は、カメラ２を自由雲台１４に装着した状態の本カメラ支持装置１を外部被固定物としてのハンガー若しくは鉄棒等の構造物４（以下、鉄棒等という）の横木部４ａに固定した状態を示している。
【００３１】
この場合にも、上記図３の使用例の場合と全く同様に、カメラ支持装置１を安定状態で固定支持することができる。
【００３２】
上述の図３，図５に示す使用例では、外部被固定物として人工的な構造物を利用した場合を例示している。外部被固定物が人工構造物である場合、外装部材１２が密着する部位の表面は比較的滑らかで均一な状態であることが期待できる。したがって、外装部材１２を押圧したとき外部被固定物との密着状態も均一となるので、比較的容易に安定性を確保できる。
【００３３】
これに対して、例えば樹木の枝等の自然物を外部被固定物とする場合を次に考えてみる。図６に示す使用例は、カメラ２を自由雲台１４に装着した状態の本カメラ支持装置１を外部被固定物としての樹木５の枝５ａに固定した状態を示している。
【００３４】
一般に樹木の枝等の自然物の表面は、不均一に形成されていたり、不規則な凹凸がある形状となっていることが多い。このような外部被固定物に対して、外装部材１２を押圧すると、外装部材１２は外部被固定物の不均一であったり不規則な表面に沿って弾性変形する。この状態で、図７に示すように、枝５ａと外装部材１２との外周を覆うように巻回部材１３を巻回させる。これにより、カメラ支持装置１の外装部材１２は、弾性変形した状態で枝５ａの表面に密着した状態が維持される。
【００３５】
したがって、被固定物が自然物のように表面が不均一であったり不規則な凹凸があったとしても、図３，図５等の使用例の場合と同様に、カメラ支持装置１は安定状態で固定支持される。
【００３６】
次に、カメラ２を装着した状態の本カメラ支持装置１において、伸縮自在の棒状部材１１を伸長させると図８に示すような状態になる。このとき、外装部材１２は、図８に示すように使用者が手１００で保持するための把持部１５として機能している。ここで、外装部材１２は、弾性的性質を有する素材で形成しているので、使用者が把持しやすくなっている。なお、巻回部材１３は、外装部材１２の端部において巻回した状態で収納されているので、使用者が把持部１５を把持するのに邪魔にならないようになっている。
【００３７】
もちろん、この状態、即ち棒状部材１１を伸長させた状態のカメラ支持装置１を、上述の図３〜図７に示す使用例と同様に、外部被固定物に対して巻回部材１３を用いて固定支持させて使用するといった用途も考えられる。このような場合にも、カメラ支持装置１を外部被固定物に対して確実かつ安定状態で固定保持できる。
【００３８】
以上説明したように上記一実施形態によれば、棒状部材１１の端部に設けた外装部材１２の外周部位を弾性的性質を有する素材で形成し、この外装部材１２若しくは棒状部材１１の他方端に巻回部材１３（巻回手段）を設けるように構成している。
【００３９】
そして、外部被固定物に対してカメラ支持装置１を固定する際には、外装部材１２を外部被固定物に押圧した状態で（外装部材１２の圧縮状態を維持しながら）巻回部材１３を外部被固定物と外装部材１２との外周に巻回する。
【００４０】
これにより、外部被固定物に対してカメラ支持装置１を固定支持するのに際し、外部被固定物の形状に関らず、常に確実かつ安定した状態でカメラ支持装置１を固定支持させることができる。
【００４１】
また、棒状部材１１を伸縮自在に構成したので、カメラ支持装置１を携帯する際に至便な小型形態にすることができる一方、使用時に棒状部材１１を伸長させると、ある程度の高さからの撮影若しくは使用者から離間した位置からの撮影等、使用者の位置とは異なる視点による撮影を行なうためカメラ位置を確保することができる。
【００４２】
ところで、上述の一実施形態においては、棒状部材１１に伸縮手段を備えて構成した例を示している。しかし、棒状部材１１の構成としては、これに限られることはなく、その他の形態のものを適用することが可能である。
【００４３】
例えば、伸縮手段を備えた棒状部材１１の代わりに、所定の長さを有する一本の棒状部材としてもよい。この場合において、棒状部材１１の長さ寸法は、用途に応じて適宜設定すればよい。例えば、長さ１ｍ程度の比較的長い設定としてもよいし、長さ１５ｃｍ程度の比較的短い設定のものとしてもよい。
【００４４】
このように棒状部材１１については、伸縮手段を備えたもののほかに、固定長さを有するもの等を適用することができる。これに対応させて、巻回部材１３，外装部材１２については、棒状部材１１に対して着脱自在に構成することが考えられる。そうすれば、上記複数種類の棒状部材１１に対して一組の巻回部材１３，外装部材１２を付け替えて使用することができる。
【００４５】
したがって、複数種類の棒状部材１１と、一組の巻回部材１３，外装部材１２と、棒状部材１１の一端部に着脱自在に構成した自由雲台１４とによってカメラ支持装置システムを構築することができる。
【００４６】
このシステムの場合、複数種類の棒状部材１１のうちから用途に応じて最適な一種類の棒状部材１１を選択し、選択した棒状部材１１の一端に自由雲台１４を装着すると共に、同棒状部材１１の他端に外装部材１２及び巻回部材１３を装着固定することによって、使用者の用途に応じた形態のカメラ支持装置を組み上げることができる。
【００４７】
一方、上述の一実施形態においては、巻回部材１３は、図１，図２に示すように、一本の細長ベルト形状の面ファスナー等によって構成している。このように巻回部材１３を一本で構成した場合、あらゆる状況下で外部被固定物に対する巻回固定を行うことを考慮すると、ある程度の長さ（例えば５０ｃｍ〜１ｍ程度）を確保しておく必要がある。巻回部材１３が、ある程度の長さを有すると、巻回部材１３を外装部材１２の外周面上に巻回させて収納状態とした場合、図２に示すように巻き太り状態になることが考えられる。
【００４８】
このような点を考慮して、例えば図９に示すように、巻回手段として二本の細長ベルト形状で構成することが考えられる。図９は、本発明の一実施形態のカメラ支持装置の第１変形例を示す図である。
【００４９】
この第１変形例のカメラ支持装置１Ａの基本的な構成は、上述の一実施形態と略同様であり、巻回手段として二本の細長ベルト形状部材１３Ａで構成した点が異なるのみである。
【００５０】
この構成によれば、上述の一実施形態の巻回手段（一本の巻回部材１３で構成する場合）と比べて、巻回手段による固定保持の力量を落とすことなく、個々の巻回部材１３Ａの長さ寸法を短くすることができ、また収納状態での巻き太りを抑止することができる。
【００５１】
他方、上述の一実施形態のカメラ支持装置において、棒状部材１１を伸長させた状態で使用する場合、使用者の手指から離れた位置にカメラ２が配置されることになる。したがって、その場合の撮影操作についても考慮する必要がある。例えばカメラ２のセルフタイマーモードを利用する方法が考えられるが、それ以外に、把持部１５となる外装部材１２の一端部にリモコン装置を設けるという構成が考えられる。
【００５２】
図１０は、本発明の一実施形態のカメラ支持装置の第２変形例を示す図である。図１１は、この第２変形例のカメラ支持装置の使用例を示す図である。
【００５３】
この第２変形例のカメラ支持装置１Ｂの基本的な構成は、上述の一実施形態と略同様であり、把持部１５である外装部材１２の一端部にリモコン装置１６を配設して構成した点が異なるのみである。
【００５４】
リモコン装置１６は、レリーズボタン１６ａと、信号送信窓１６ｂとを有して主に構成されるものであって、装置そのものは、従来一般に実用化されているものと同様のものが適用される。
【００５５】
このリモコン装置１６は、把持部１５となる外装部材１２の一端部に配設されている。この場合において、リモコン装置１６は、使用者が把持部１５（外装部材１２）を把持した時にその使用者の手指１００がリモコン装置１６のレリーズボタン１６ａを押しやすいように外装部材１２の所定の位置に配設されている。また、同時に、リモコン装置１６の信号送信窓１６ｂが、棒状部材１１の一端部に装着される自由雲台１４の側を向くように配設される。つまり、信号送信窓１６ｂが、自由雲台１４に装着されるカメラ２（のリモコン信号受信窓；不図示）の側を常に向くように設定されている。
【００５６】
このような構成とすれば、棒状部材１１を伸長させたときにも容易にシャッターレリーズ操作を行なうことができる。
【００５７】
また、図１２〜図１５は、本発明の一実施形態のカメラ支持装置の別の変形例を示す図である。このうち、図１２，図１３は、本実施形態のカメラ支持装置の第３変形例を示し、図１２は斜視図、図１３は断面図である。また、図１４，図１５は、本実施形態のカメラ支持装置の第４変形例を示し、図１４は斜視図、図１５は断面図である。
【００５８】
これら第３変形例及び第４変形例は、カメラ支持装置における外装部材に関する変形例であって、基本的な構成は、上述の一実施形態と同様であり、外装部材の形状が異なるのみである。
【００５９】
本実施形態の第３変形例によるカメラ支持装置１Ｃは、外装部材１２Ａの長軸に直交する断面の外周縁が、図１３に示すように、ジグザグ（zig zag）状に形成されている。
【００６０】
このような形状とすることで、外装部材１２Ａを外部被固定物の表面に押圧したときに、外装部材１２Ａの外周側が変形しやすくなる。したがって、外部被固定物の表面形状が凹凸等を有する複雑な形状であったとしても、外装部材１２Ａの変形自由度が高いので、外装部材１２Ａと外部被固定物との密着性が向上する。よって、カメラ支持装置１Ｃのより高い安定性を得ることができる。
【００６１】
一方、本実施形態の第４変形例によるカメラ支持装置１Ｄは、外装部材１２Ｂの長軸に直交する断面の外周縁が、図１５に示すように、略正方形状に形成されている。
【００６２】
このような形状とすることで、外装部材１２Ｂを外部被固定物の表面に押圧する際に、その外部被固定物の表面が比較的平面性を有する物（図３，図５等参照）である場合には、外装部材１２Ｂの外周は、当該外部被固定物の表面形状に従って馴染むように変形する。したがって、外装部材１２Ｂと外部被固定物との間の接触面積をより広く確保することができるので、カメラ支持装置１Ｄのより高い安定性を得ることができる。
【００６３】
以上述べたように、外装部材（１２Ａ，１２Ｂ）の長軸に直交する断面の外周縁の形状を工夫することによって、様々な外形形状を有する外部被固定物に対応することが容易にできる。なお、外装部材の形状については、上述の第３，第４変形例で示す例に限られることはなく、その他、様々な形状で構成することができるのは当然である。
【００６４】
他方、上述の一実施形態及び各変形例においては、外装部材として、低反発性を有し弾性的性質を有する素材によって構成し、巻回部材として面ファスナー等の固定手段を備えて構成した例を示しているが、この構成に限ることはない。
【００６５】
例えば、外装部材としては塑性的性質を有する素材によって構成すると共に、これに組み合わされる巻回部材としては伸縮自在な弾性素材によって構成したものとする。この構成においては、外装部材が塑性変形により外部被固定物に沿って変形し、その状態を維持するように巻回部材を伸長させて巻回すれば、該巻回部材の弾性によって、外装部材と外部被固定物との密着状態を維持し得る。したがって、安定した固定を確保することができる。
【００６６】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００６７】
本発明は、カメラのみに限られることはなく、その他の形態の電子機器、例えばビデオカメラ，録音機器，マイクロフォン，パーソナルコンピュータ等、各種の携帯可能な小型電子機器等を支持するために広く対応することができる。
【符号の説明】
【００６８】
１，１Ａ，１Ｂ，１Ｃ，１Ｄ……カメラ支持装置，２……カメラ，１１……棒状部材，１２，１２Ａ，１２Ｂ……外装部材，１３，１３Ａ……巻回部材，１４……自由雲台，１４ａ……ネジ部，１５……把持部，１６……リモコン装置，１６ａ……レリーズボタン，１６ｂ……信号送信窓
【図１】
2013019965.tif 000003
【図２】
2013019965.tif 000004
【図３】
2013019965.tif 000005
【図４】
2013019965.tif 000006
【図５】
2013019965.tif 000007
【図６】
2013019965.tif 000008
【図７】
2013019965.tif 000009
【図８】
2013019965.tif 000010
【図９】
2013019965.tif 000011
【図１０】
2013019965.tif 000012
【図１１】
2013019965.tif 000013
【図１２】
2013019965.tif 000014
【図１３】
2013019965.tif 000015
【図１４】
2013019965.tif 000016
【図１５】
2013019965.tif 000017